(57)【要約】      （修正有）【課題】  臭気吸着剤が高密度に充填されていても不快な臭いを効率的に除去し得る空気清浄機の提供。【解決手段】  臭気吸着剤収容部を備えた空気清浄機であって、当該臭気吸着剤収容部の上流側に空気吸引装置部を形成すると共に、同臭気吸着剤収容部の下流側に空気排出装置部を形成した。更に臭気吸着剤が大粒状のセラミックス炭と微粒子状のセラミックス炭とを使い分けている。【選択図】  図１
2006022967.tif 000002
【特許請求の範囲】
【請求項１】
臭気吸着剤収容部を備えた空気清浄機であって、当該臭気吸着剤収容部の上流側に空気吸引装置部が形成されていると共に、同臭気吸着剤収容部の下流側に空気排出装置部が形成されていることを特徴とする空気清浄機。
【請求項２】
臭気吸着剤収容部が、中間空域部を介在せしめて第１収容部と第２収容部とから成ることを特徴とする請求項１記載の空気清浄機。
【請求項３】
第１収容部に充填されている臭気吸着剤が大粒状のセラミックス炭で、かつ第２収容部に充填されている臭気吸着剤が微粒子状のセラミックス炭であることを特徴とする請求項２記載の空気清浄機。
【請求項４】
臭気吸着剤収容部と空気排出装置部との間に、更に芳香剤収容部が形成されていることを特徴とする請求項１〜３の何れか１項記載の空気清浄機。
【発明の詳細な説明】
【技術分野】
【０００１】
本発明は空気清浄機に係わり、特に、不快な臭いを有する空気などから不快な臭いを除去したり、所望の芳香を放出させたりすることができる空気清浄機に関する。
【背景技術】
【０００２】
従来、病院医療施設、老人福祉施設、学校、畜舎、事務所、住宅、ペットショップなどから発生する臭気を建築物内から除去する方法としては、（１）換気により臭気物質を室外に放出する自然換気の方法、（２）水拭きや洗浄などによって特有の臭気を消す方法、（３）臭気を吸着する材料を含んだカーテンやシーツで臭気を吸着・除去する方法などが知られている。
【０００３】
しかし、上記（１）の自然換気方法は、臭気が強いため近隣に迷惑をかけることが多く、また、悪天候の場合は長時間の換気ができなくなるという問題があった。また、上記（２）の特有の臭気除去方法は、脱臭に即効性がなく、その脱臭効果も低いうえ、水分が十分に存在する必要があるなど衛生上も問題があった。更に、上記（３）の吸着・除去方法は、臭気除去効果が狭い面積に限られ、室内全体の臭気を除去するには不十分であるという問題があった。
【０００４】
一方、粒状の活性炭が充填された筒状胴部と、その中の活性炭層の両端に配置された網と、送風用ファンとを有し活性炭の厚みを調整できる空気清浄機（例えば下記の特許文献１参照）や、空気清浄化機能部に及ぼす空気導入部の影響を軽減して空気清浄化機能の低下を防いだりする空気清浄機（例えば下記の特許文献２参照）も知られている。
【０００５】
しかし、いずれの空気清浄機も送風用のファンが１個しか設けられておらず、活性炭などの吸着物質を高密度装填したような場合には被処理空気の吸引などが不十分になるのが実状であった。
【特許文献１】特開２００２−２３３７２７号公報
【特許文献２】特開２００３−３１０７２４号公報
【発明の開示】
【発明が解決しようとする課題】
【０００６】
本発明はかかる従来の問題と実状に鑑みてなされたものであり、その課題は、被処理空気の臭気吸着剤との吸引接触性に優れ、不快な臭いを有する空気などから不快な臭いをほぼ完全に除去し得、また所望の芳香を放出させることができる空気清浄機を提供することにある。
【課題を解決するための手段】
【０００７】
本発明の空気清浄機は、臭気吸着剤収容部を備えた空気清浄機であって、当該臭気吸着剤収容部の上流側に空気吸引装置部を形成すると共に、同臭気吸着剤収容部の下流側に空気排出装置部を形成することにより上記課題を解決したものである。
【０００８】
また、本発明は、上記空気清浄機において、臭気吸着剤収容部と空気排出装置部との間に、更に芳香剤収容部を形成することにより、上記課題を解決したものである。
【発明の効果】
【０００９】
本発明によれば、空気吸引装置と空気排出装置の同時作動により、空気清浄機内への被処理空気の吸引が十分に行なわれるため、臭気吸着剤が高密度に充填されていても、当該臭気吸着剤との接触効率が向上するので、不快な臭いを有する空気などから不快な臭いをほぼ完全に除去することができる。また、芳香剤収容部の芳香剤により所望の芳香を浄化された空気と共に放出することができる。
【発明を実施するための最良の形態】
【００１０】
本発明において、臭気吸着剤収容部は、第１収容部と第２収容部の２段構成とし、かつ当該第１収容部と第２収容部との間に中間空域部を介在させるのが、空気の流通性をより向上せしめる上で望ましい。
【００１１】
臭気吸着剤収容部に充填される臭気吸着剤としては、その種類の如何を問わないが、特にセラミックス炭が好適に使用される。この場合、第１収容部には大粒状のセラミックス炭を、第２収容部には微粒子状のセラミックス炭を充填するのが、臭気を効率的に吸着するので望ましい。
【実施例】
【００１２】
以下実施例を示す図面と共に本発明を更に説明する。
【００１３】
図１は本発明の第１の実施例を示す概略断面説明図である。
該図１において、１０は筒状本体で、上部に被処理空気の吸引口１０ａを備えていると共に、下部に浄化済み空気の排出口１０ｂを備えている。
【００１４】
この筒状本体１０の内部は、空気が流通可能なように通気性仕切部１０ｃにより、上部から順に空気吸引装置部１１、臭気吸着剤収容部１２及び空気排出装置部１３が区画形成されている。尚、通気性仕切部１０ｃの材質としては、臭気吸着剤の流出を防止し、かつ通気性を有すれば特に限定されないが、例えば網体等が好適に使用される。
【００１５】
空気吸引装置部１１は、吸引口１０ａから外部の被処理空気を筒状本体１０内に吸引するもので、吸引ファン１１ａと該吸引ファン１１ａを駆動させるモータ１１ｂを備えている。
【００１６】
臭気吸着剤収容部１２の内部は、通気性仕切部１０ｃにより、上部から順に第１収容部１２ａ、中間空域部１２ｂ及び第２収容部１２ｃに区画形成され、第１収容部１２ａには大粒状のセラミックス炭１２ｐが充填されていると共に、第２収容部１２ｃには微粒子状のセラミックス炭１２ｑが充填されている。
【００１７】
空気排出装置部１３は、臭気吸着剤収容部１２で浄化された空気を排出口１０ｂから筒状本体１０外に排出するもので、排出ファン１３ａと該排出ファン１３ａを駆動させるモータ１３ｂを備えている。
【００１８】
次に、この実施例に係る空気清浄機の作動例を説明する。
まず、スイッチを入れると、モータ１１ｂ及びモータ１３ｂが作動し、吸引ファン１１ａ及び排出ファン１３ａが回転するので、外部の被処理空気が、吸引口１０ａから筒状本体１０内に吸引され、順次下方に移動する。
【００１９】
この移動の過程において被処理空気は、第１収容部１２ａの大粒状のセラミックス炭１２ｐと接触した後、中間空域部１２ｂを経て、第２収容部１２ｃの微粒子状のセラミックス炭１２ｑに接触し、不快な臭いが２段階でほぼ完全に吸着・除去されて排出口１０ｂから排出される。また、この場合、中間空域部１２ｂの存在により、空気の移動はスムースに行なわれる。
【００２０】
図２は本発明の第２の実施例を示す概略断面説明図である。
この図２に示される空気清浄機は、図１に示される空気清浄機の臭気吸着剤収容部１２の第２収容部１２ｃと空気排出装置部１３との間に、通気性仕切部１０ｃを介して、更に芳香剤収容部１４が形成され、その内部に芳香剤１４ａが収納されている。
【００２１】
而して、この実施例に係る空気清浄機によれば、所望の芳香を浄化された空気と共に排出口１０ｂから放出することができる。
【図面の簡単な説明】
【００２２】
【図１】本発明空気清浄機の第１の例を示す概略断面説明図。
【図２】本発明空気清浄機の第２の例を示す概略断面説明図。
【符号の説明】
【００２３】
１０：筒状本体
１０ａ：吸引口
１０ｂ：排出口
１０ｃ：仕切部
１１：空気吸引装置部
１１ａ：吸引ファン
１１ｂ：モータ
１２：臭気吸着剤収容部
１２ａ：第１収容部
１２ｂ：中間空域部
１２ｃ：第２収容部
１２ｐ：大粒状のセラミックス炭
１２ｑ：微粒子状のセラミックス炭
１３：空気排出装置部
１３ａ：排出ファン
１３ｂ：モータ
１４：芳香剤収容部
１４ａ：芳香剤
【図１】
2006022967.tif 000003
【図２】
2006022967.tif 000004